(57)【要約】  支持部材（３４）に環状に巻き掛けられるとともに、ドライブ装置（５０）の装置本体（５２）に固定されたベース部材（４０）に一部が固定され、支持部材（３４）がテープ幅方向へ移動することにより、記録テープ（Ｔ）に対して情報の書き込み及び読み出しの少なくとも一方を行うヘッド（６０）を払拭する払拭部材（３２）と、支持部材（３４）のテープ長手方向両側に支持部材（３４）よりもテープ幅方向における払拭移動側へ突出するように設けられた案内部材（３８）に環状に巻き掛けられるとともに、ベース部材（４０）に一部が固定され、案内部材（３８）がテープ幅方向へ移動することにより、記録テープ（Ｔ）に接触しつつ記録テープ（Ｔ）をヘッド（６０）から離隔させるベルト部材（３６）と、を有するヘッドクリーニング装置（３０）である。
2013168621.tif 000002
【特許請求の範囲】
【請求項１】
長尺状に形成され、テープ幅方向に移動しないように固定された払拭固定部を有する払拭部材と、
前記払拭部材が折り返されるように巻き掛けられた払拭巻掛部を備え、前記払拭巻掛部をテープ幅方向へ移動させ、前記払拭部材における前記払拭巻掛部に対する前記払拭固定部とは反対側の面で、記録テープに対して情報の書き込み及び読み出しの少なくとも一方を行うヘッドを払拭させる支持部材と、
を有するヘッドクリーニング装置。
【請求項２】
前記払拭部材は、環状に構成されており、
前記支持部材は、その移動方向の両端で前記払拭部材が折り返されるように該払拭部材の内側に設けられている請求項１に記載のヘッドクリーニング装置。
【請求項３】
長尺状に形成され、テープ幅方向に移動しないように固定されたベルト固定部を有するベルト部材と、
前記ベルト部材が折り返されるように巻き掛けられたベルト巻掛部を備え、前記ベルト巻掛部をテープ幅方向へ移動させ、前記ベルト部材における前記ベルト巻掛部に対する前記ベルト固定部側の面を前記記録テープに接触させつつ該記録テープを前記ヘッドから離隔させる案内部材と、
を有する請求項１又は請求項２に記載のヘッドクリーニング装置。
【請求項４】
前記ベルト部材は、環状に構成されており、
前記案内部材は、その移動方向の両端で前記ベルト部材が折り返されるように該ベルト部材の内側に設けられている請求項３に記載のヘッドクリーニング装置。
【請求項５】
前記支持部材の前記払拭巻掛部及び前記案内部材の前記ベルト巻掛部は、同時に移動するように構成されている請求項３又は請求項４に記載のヘッドクリーニング装置。
【請求項６】
前記ベルト部材及び前記案内部材は、前記払拭部材及び前記支持部材のテープ長手方向両側に設けられている請求項３〜請求項５の何れか１項に記載のヘッドクリーニング装置。
【請求項７】
前記ベルト部材及び前記案内部材は、前記払拭部材及び前記支持部材よりもテープ幅方向における払拭移動側へ突出している請求項６に記載のヘッドクリーニング装置。
【請求項８】
長尺状に形成され、テープ幅方向に移動しないように固定されたベルト固定部を有するベルト部材と、
前記ベルト部材が折り返されるように巻き掛けられたベルト巻掛部を備え、前記ベルト巻掛部をテープ幅方向へ移動させ、前記ベルト部材における前記ベルト巻掛部に対する前記ベルト固定部側の面を前記記録テープに接触させつつ該記録テープを前記ヘッドから離隔させる案内部材と、
記録テープに対して情報の書き込み及び読み出しの少なくとも一方を行うヘッドをテープ幅方向に移動することで清掃する清掃部材と、
を有するヘッドクリーニング装置。
【請求項９】
支持部材にテープ長手方向を軸方向として環状に巻き掛けられるとともに、ドライブ装置の装置本体に固定されたベース部材に一部が固定され、前記支持部材がテープ幅方向へ移動することにより、記録テープに対して情報の書き込み及び読み出しの少なくとも一方を行うヘッドを払拭する払拭部材と、
前記支持部材のテープ長手方向両側に前記支持部材よりもテープ幅方向における払拭移動側へ突出するように設けられた案内部材にテープ長手方向を軸方向として環状に巻き掛けられるとともに、前記ベース部材に一部が固定され、前記案内部材がテープ幅方向へ移動することにより、前記記録テープに接触しつつ該記録テープを前記ヘッドから離隔させるベルト部材と、
前記支持部材及び前記案内部材をテープ幅方向へ移動させる移動機構と、
を有するヘッドクリーニング装置。
【請求項１０】
走行する記録テープに接触しながら該記録テープに対して情報の書き込み及び読み出しの少なくとも一方を行うヘッドと、
前記記録テープを往復走行させるテープ駆動機構と、
請求項１〜請求項９の何れか１項に記載のヘッドクリーニング装置と、
を有するドライブ装置。
【請求項１１】
前記テープ駆動機構は、前記記録テープを繰り出し及び巻き取り可能に保持して装置本体に取り外し不能に内蔵された一対のリールを有する請求項１０に記載のドライブ装置。
【発明の詳細な説明】
【技術分野】
【０００１】
本発明は、ヘッドクリーニング装置と、それを備えたドライブ装置に関する。
【背景技術】
【０００２】
テープをヘッドから離隔させつつ、そのヘッドをクリーニングするように構成されたヘッドクリーニング装置は、従来に提案されている（例えば、特開平１１−２９６８２７号公報参照）。また、テープカセットをローディングしたときに駆動される機構によってヘッドをクリーニングするように構成されたヘッドクリーニング装置も、従来に提案されている（例えば、特開平９−３３０５０７号公報参照）。
【発明の概要】
【発明が解決しようとする課題】
【０００３】
ところで、テープが摺接することによってヘッドに付着する汚れは、テープの走行方向（テープ長手方向）に沿って付着することになるため、ヘッドに対するクリーニング方向は、テープ長手方向と交差するテープ幅方向とされるのが理想的である。【０００４】
しかしながら、特許文献１に記載のヘッドクリーニング装置では、テープ幅方向を軸方向として回動する支持アームによってテープをヘッドから離隔させるとともに、その支持アームの先端に取り付けられたクリーニングブラシでヘッドをクリーニングするため、ヘッドに対するクリーニング方向がテープ長手方向となる。また、特許文献２に記載のヘッドクリーニング装置では、ヘッドに対するクリーニング方向がテープ幅方向であるが、装置自体の構成が複雑である。【０００５】
そこで、本発明は、テープ幅方向をクリーニング方向とするとともに、簡易な構成で、ヘッドをクリーニングできるヘッドクリーニング装置と、それを備えたドライブ装置を得ることを目的とする。
【課題を解決するための手段】
【０００６】
上記の目的を達成するために、本発明に係る第１の態様のヘッドクリーニング装置は、長尺状に形成され、テープ幅方向に移動しないように固定された払拭固定部を有する払拭部材と、前記払拭部材が折り返されるように巻き掛けられた払拭巻掛部を備え、前記払拭巻掛部をテープ幅方向へ移動させ、前記払拭部材における前記払拭巻掛部に対する前記払拭固定部とは反対側の面で、記録テープに対して情報の書き込み及び読み出しの少なくとも一方を行うヘッドを払拭させる支持部材と、を有する。【０００７】
本発明に係る第１の態様によれば、支持部材の払拭巻掛部がテープ幅方向へ移動されることで、払拭部材がテープ幅方向へ移動してヘッドをクリーニングする。したがって、テープ幅方向をクリーニング方向とするとともに、簡易な構成で、ヘッドをクリーニングすることができる。【０００８】
また、本発明に係る第２の態様のヘッドクリーニング装置は、第１の態様のヘッドクリーニング装置であって、前記払拭部材は、環状に構成されており、前記支持部材は、その移動方向の両端で前記払拭部材が折り返されるように該払拭部材の内側に設けられている。【０００９】
本発明に係る第２の態様によれば、ヘッドクリーニング装置の構成を簡略化することができる。【００１０】
また、本発明に係る第３の態様のヘッドクリーニング装置は、第１又は第２の態様のヘッドクリーニング装置であって、長尺状に形成され、テープ幅方向に移動しないように固定されたベルト固定部を有するベルト部材と、前記ベルト部材が折り返されるように巻き掛けられたベルト巻掛部を備え、前記ベルト巻掛部をテープ幅方向へ移動させ、前記ベルト部材における前記ベルト巻掛部に対する前記ベルト固定部側の面を前記記録テープに接触させつつ該記録テープを前記ヘッドから離隔させる案内部材と、を有する。【００１１】
本発明に係る第３の態様によれば、案内部材のベルト巻掛部がテープ幅方向へ移動されることで、ベルト部材がテープ幅方向へ移動して記録テープに接触し、その記録テープをヘッドから離隔させる。つまり、本発明によれば、記録テープをヘッドから離隔させつつ、そのヘッドをクリーニングすることができる。【００１２】
また、本発明に係る第４の態様のヘッドクリーニング装置は、第３の態様のヘッドクリーニング装置であって、前記ベルト部材は、環状に構成されており、前記案内部材は、その移動方向の両端で前記ベルト部材が折り返されるように該ベルト部材の内側に設けられている。【００１３】
本発明に係る第４の態様によれば、ヘッドクリーニング装置の構成を簡略化することができる。【００１４】
また、本発明に係る第５の態様のヘッドクリーニング装置は、第３又は第４の態様のヘッドクリーニング装置であって、前記支持部材の前記払拭巻掛部及び前記案内部材の前記ベルト巻掛部は、同時に移動するように構成されている。【００１５】
本発明に係る第５の態様によれば、テープ幅方向に移動する１つの動作で、記録テープをヘッドから離隔させつつ、そのヘッドをクリーニングすることができる。【００１６】
また、本発明に係る第６の態様のヘッドクリーニング装置は、第３〜第５の何れかの態様のヘッドクリーニング装置であって、前記ベルト部材及び前記案内部材は、前記払拭部材及び前記支持部材のテープ長手方向両側に設けられている。【００１７】
本発明に係る第６の態様によれば、記録テープをヘッドから離隔させつつ、そのヘッドをクリーニングすることが良好にできる。【００１８】
また、本発明に係る第７の態様のヘッドクリーニング装置は、第６の態様のヘッドクリーニング装置であって、前記ベルト部材及び前記案内部材は、前記払拭部材及び前記支持部材よりもテープ幅方向における払拭移動側へ突出している。【００１９】
本発明に係る第７の態様によれば、記録テープをヘッドから離隔させつつ、そのヘッドをクリーニングすることが良好にできる。【００２０】
また、本発明に係る第８の態様のヘッドクリーニング装置は、長尺状に形成され、テープ幅方向に移動しないように固定されたベルト固定部を有するベルト部材と、前記ベルト部材が折り返されるように巻き掛けられたベルト巻掛部を備え、前記ベルト巻掛部をテープ幅方向へ移動させ、前記ベルト部材における前記ベルト巻掛部に対する前記ベルト固定部側の面を前記記録テープに接触させつつ該記録テープを前記ヘッドから離隔させる案内部材と、記録テープに対して情報の書き込み及び読み出しの少なくとも一方を行うヘッドをテープ幅方向に移動することで清掃する清掃部材と、を有する。【００２１】
本発明に係る第８の態様によれば、案内部材のベルト巻掛部がテープ幅方向へ移動されることで、ベルト部材がテープ幅方向へ移動して記録テープに接触し、その記録テープをヘッドから離隔させる。つまり、本発明によれば、テープ幅方向をクリーニング方向とするとともに、簡易な構成で、記録テープをヘッドから離隔させつつ、そのヘッドをクリーニングすることができる。【００２２】
また、本発明に係る第９の態様のヘッドクリーニング装置は、支持部材にテープ長手方向を軸方向として環状に巻き掛けられるとともに、ドライブ装置の装置本体に固定されたベース部材に一部が固定され、前記支持部材がテープ幅方向へ移動することにより、記録テープに対して情報の書き込み及び読み出しの少なくとも一方を行うヘッドを払拭する払拭部材と、前記支持部材のテープ長手方向両側に前記支持部材よりもテープ幅方向における払拭移動側へ突出するように設けられた案内部材にテープ長手方向を軸方向として環状に巻き掛けられるとともに、前記ベース部材に一部が固定され、前記案内部材がテープ幅方向へ移動することにより、前記記録テープに接触しつつ該記録テープを前記ヘッドから離隔させるベルト部材と、前記支持部材及び前記案内部材をテープ幅方向へ移動させる移動機構と、を有する。【００２３】
本発明に係る第９の態様によれば、テープ幅方向をクリーニング方向とするとともに、簡易な構成で、記録テープをヘッドから離隔させつつ、そのヘッドをクリーニングすることができる。【００２４】
また、本発明に係る第１０の態様のドライブ装置は、走行する記録テープに接触しながら該記録テープに対して情報の書き込み及び読み出しの少なくとも一方を行うヘッドと、前記記録テープを往復走行させるテープ駆動機構と、第１〜第９の何れかの態様のヘッドクリーニング装置と、を有する。【００２５】
本発明に係る第１０の態様によれば、テープ幅方向をクリーニング方向とするとともに、簡易な構成で、ヘッドをクリーニングすることができる。【００２６】
また、本発明に係る第１１の態様のドライブ装置は、第１０の態様のドライブ装置であって、前記テープ駆動機構は、前記記録テープを繰り出し及び巻き取り可能に保持して装置本体に取り外し不能に内蔵された一対のリールを有する。【００２７】
本発明に係る第１１の態様によれば、一対のリールが取り外し不能に内蔵されたドライブ装置において、テープ幅方向をクリーニング方向とするとともに、簡易な構成で、ヘッドをクリーニングすることができる。
【発明の効果】
【００２８】
以上のように、本発明によれば、テープ幅方向をクリーニング方向とするとともに、簡易な構成で、ヘッドをクリーニングすることができる。
【図面の簡単な説明】
【００２９】
【図１】ドライブ装置に取り外し不能に内蔵された一対のリールとヘッドクリーニング装置とを示す斜視図
【図２】本実施形態に係るヘッドクリーニング装置の構成を示す斜視図
【図３】本実施形態に係るヘッドクリーニング装置の構成を示す側面図
【図４】図３のＸ−Ｘ線矢視方向における一部断面とされた正面図
【図５Ａ】記録テープをヘッドから離隔させる工程を示す説明図
【図５Ｂ】ヘッドをクリーニングする工程を示す説明図
【発明を実施するための形態】
【００３０】
以下、本発明に係る実施の形態について、図面を基に詳細に説明する。なお、説明の便宜上、図１における矢印ＵＰを上方向、矢印ＤＯを下方向とし、本実施形態に係るリール１０、２０の回転軸方向を上下方向（高さ方向）とする。また、最初にリール１０、２０が取り外し不能に設けられたドライブ装置５０の概要について説明し、次にヘッドクリーニング装置３０の構成について詳細に説明する。
【００３１】
＜ドライブ装置の概要＞
本実施形態に係るリール１０、２０は、例えばポリカーボネート（ＰＣ）等の合成樹脂材料で同一形状に成形されている。そして、各リール１０、２０は、図１で示すように、ドライブ装置５０の装置本体としての筐体５２（図１では底板５４と３本の支柱５６のみが示されている）内に一対として設けられている。
【００３２】
リール１０は、情報記録再生媒体としての記録テープ（磁気テープ）Ｔの繰り出し用とされ、リール２０は、記録テープＴの巻き取り用とされており、リール１０から繰り出されて走行する記録テープＴが、リール２０に巻き取られつつ、記録テープＴに対してデータ（情報）の記録（書き込み）及び再生（読み出し）の少なくとも一方を行うヘッド６０に摺接するようになっている。
【００３３】
なお、ヘッド６０の両側における底板５４上には、複数個（図示のものは４個ずつで計８個）のテープガイド５８が回転自在に設けられており、リール１０から引き出され、リール２０に巻き取られる記録テープＴが各テープガイド５８によってガイドされるようになっている。そして、ヘッド６０は、両隣のテープガイド５８間に張架された記録テープＴの記録面に摺接するようになっている。
【００３４】
また、各リール１０、２０は、天板１９、２９を有する短円筒状の軸心部１８、２８を回転中心側に備えた略円筒状のリールハブ１２、２２と、その上端部側に設けられる第１フランジとしての環状の上フランジ１４、２４と、その下端部側に設けられる第２フランジとしての環状の下フランジ１６、２６と、を含んで構成されている。
【００３５】
そして、リール１０におけるリールハブ１２の外周面には、記録テープＴが巻回されるようになっており、上フランジ１４及び下フランジ１６によって、巻回された記録テープＴの幅方向の端部（エッジ部）が保持されるようになっている。また、リール１０から繰り出された記録テープＴは、リール２０におけるリールハブ２２の外周面に巻回され、上フランジ２４及び下フランジ２６によって、その幅方向の端部（エッジ部）が保持されるようになっている。
【００３６】
なお、本実施形態における「略円筒状」には、記録テープＴが巻回される各リールハブ１２、２２の外周面（巻面）の形状が太鼓形状等に形成されている概ね円柱状であるもの、及び各リールハブ１２、２２の内周面側にリブ等が突設されている完全な円筒状ではない中空状であるものなども含まれる。
【００３７】
また、ドライブ装置５０には、リール１０、２０と共にテープ駆動機構を構成するモーター（図示省略）が配置されており、そのモーターの回転軸（図示省略）から回転駆動力が伝達される一対の回転伝達部材（図示省略）が、ドライブ装置５０の筐体５２（底板５４）に形成された一対の開口部（図示省略）内にそれぞれ回転可能に設けられている。
【００３８】
そして、各リール１０、２０の軸心部１８、２８には、ビス孔部（図示省略）が周方向に形成されており、各リール１０、２０は、ビス６２（図１参照）をビス孔部に挿通して各回転伝達部材に螺合することにより、各回転伝達部材に一体的に締結固定されるようになっている。これにより、各リール１０、２０が、ドライブ装置５０の筐体５２内に取り出し不能に内蔵される構成になっている。
【００３９】
＜ヘッドクリーニング装置の構成＞
次に、テープ幅方向をクリーニング方向として、記録テープＴをヘッド６０から離隔させつつ、そのヘッド６０をクリーニングするヘッドクリーニング装置３０の構成について詳細に説明する。なお、以下において、ヘッドクリーニング装置３０のヘッド６０の表面６０Ａと対向する面側を表面側といい、それと反対の面側を裏面側という場合がある。
【００４０】
図１〜図４で示すように、ヘッドクリーニング装置３０は、ヘッド６０の表面６０Ａに対向して配置されている。このヘッドクリーニング装置３０は、ヘッド６０の表面６０Ａをテープ幅方向に移動して払拭（清掃）する払拭部材（清掃部材）３２と、払拭部材３２のテープ長手方向両側で、テープ幅方向に移動しつつ、記録テープＴをヘッド６０の表面６０Ａから離隔（待避）させる一対のベルト部材３６と、を有している。
【００４１】
払拭部材３２は、長尺な帯状部材を環状にすることで構成されており、その内側には、テープ幅方向に移動する略平板状の支持部材３４が配設されている。つまり、支持部材３４は、その移動方向の両端部（図３、図５で示す上端部３４Ａ及び下端部３４Ｂ）で払拭部材３２が折り返されるように、その払拭部材３２の内側に設けられている。
【００４２】
そして、支持部材３４の下端部３４Ｂが、払拭部材３２が折り返されるように巻き掛けられた払拭巻掛部とされており、払拭部材３２は支持部材３４に対して正逆両方向に摺動（回転移動）できるようにテープ長手方向を軸方向として巻き掛けられている。
【００４３】
詳細には、支持部材３４の上端部３４Ａ及び下端部３４Ｂは、図３の側面視で直径が支持部材３４の板厚よりも大きい円弧面とされて裏面側にオフセット（突出）されており、裏面側における支持部材３４の上端部３４Ａと下端部３４Ｂとの間の部分が払拭部材３２に非接触となるように構成されている。これにより、支持部材３４に対する払拭部材３２の摺動（回転移動）抵抗が低減される構成になっている。
【００４４】
そして、表面側における支持部材３４の上端部３４Ａと下端部３４Ｂとの間の部分は、払拭部材３２と接触するように構成されており、これによって、ヘッド６０の表面６０Ａを払拭部材３２でクリーニングする際に、支持部材３４が払拭部材３２を内側から支持できる構成になっている。
【００４５】
同様に、各ベルト部材３６は、長尺な帯状部材を環状にすることで構成されており、その内側には、テープ幅方向に移動する細長い略平板状の案内部材３８がそれぞれ配設されている。つまり、各案内部材３８は、その移動方向の両端部（図３、図５で示す上端部３８Ａ及び下端部３８Ｂ）でベルト部材３６が折り返されるように、そのベルト部材３６の内側に設けられている。
【００４６】
そして、各案内部材３８の下端部３８Ｂが、それぞれベルト部材３６が折り返されるように巻き掛けられたベルト巻掛部とされており、各ベルト部材３６は各案内部材３８に対して正逆両方向に摺動（回転移動）できるようにテープ長手方向を軸方向として巻き掛けられている。
【００４７】
詳細には、案内部材３８の上端部３８Ａ及び下端部３８Ｂは、図３の側面視で直径が案内部材３８の板厚よりも大きい円弧面とされて裏面側にオフセット（突出）されており、裏面側における案内部材３８の上端部３８Ａと下端部３８Ｂとの間の部分がベルト部材３６に非接触となるように構成されている。これにより、案内部材３８に対するベルト部材３６の摺動（回転移動）抵抗が低減される構成になっている。
【００４８】
更に、各案内部材３８の下端部３８Ｂは、図３の側面視で裏面側（円弧面）から表面側へかけて、鉛直（上下）方向に対して鋭角に連続するテーパー面３８Ｃを有しており、円弧面よりも下方側（先端側）が下方へ向かって鋭角に突出した側面視略直角三角形状に形成されている。このテーパー面３８Ｃにより、案内部材３８がテープ幅方向へ移動したときに、ベルト部材３６が記録テープＴのエッジ部にスムーズに接触できる構成になっている。
【００４９】
また、各案内部材３８の下端部３８Ｂは、支持部材３４の下端部３４Ｂよりも、下方側（払拭移動側）へ突出されており、払拭部材３２がヘッド６０の表面６０Ａに接触するよりも先に、一対のベルト部材３６が記録テープＴの記録面に接触し、その記録テープＴをヘッド６０の表面６０Ａから離隔させることができるようになっている。
【００５０】
なお、ベルト部材３６は、案内部材３８の外周面に対してスムーズに移動できるように、案内部材３８に対して摩擦係数が低く、かつ案内部材３８の上端部３８Ａ及び下端部３８Ｂの形状に密接できるように、柔軟性があり、薄く加工できるウレタン樹脂又はテフロン（登録商標）樹脂等で構成されるのが好適である。
【００５１】
また、払拭部材３２は、ヘッド６０の表面６０Ａを適切に払拭できるように、例えば表面が起毛された素材で構成されるのが好適である。なお、この払拭部材３２には、ヘッド６０の表面６０Ａに接触する部分にのみ、払拭機能を持たせるようにしてもよい。更に、この払拭部材３２は、交換可能に構成されていてもよい。
【００５２】
また、図２〜図４で示すように、支持部材３４及び各案内部材３８は、テープ長手方向に並んで一体的に形成されており、各案内部材３８のテープ長手方向両外側壁３８Ｄにおける上端部が、側面視略「Ｌ」字型形状とされた一対の懸吊部材４４の一端部（下端部）４４Ａに固定されている。
【００５３】
また、払拭部材３２は、ヘッド６０の表面６０Ａと対向する面とは反対側の面の一部が、矩形平板状とされたベース部材４０の辺縁部４０Ａに固定されており、その固定部分が払拭固定部３２Ａとされている。同様に、各ベルト部材３６は、ヘッド６０の表面６０Ａと対向する面とは反対側の面の一部が、ベース部材４０の辺縁部４０Ａに固定されており、その固定部分がベルト固定部３６Ａとされている。
【００５４】
また、このベース部材４０は、払拭固定部３２Ａ及びベルト固定部３６Ａが固定された辺縁部４０Ａとは反対側の辺縁部４０Ｂの中央部分が、側面視略「Ｌ」字型形状の支持ブラケット４２の上端部に固定されており、その支持ブラケット４２の下端部は、筐体５２（ドライブ装置５０）の底板５４に固定されている。
【００５５】
そして、ベース部材４０の辺縁部４０Ｂにおける各コーナー部分には、上下方向に貫通する貫通孔４１Ａを中央部分に備えたガイド筒部４１がそれぞれ一体に設けられており、各ガイド筒部４１の貫通孔４１Ａには、それぞれガイドロッド４６が挿通されている。そして、各ガイドロッド４６の上端部には、懸吊部材４４の他端部がそれぞれ固定されている。
【００５６】
また、各ガイドロッド４６の下端部は、テープ長手方向に細長い平板状の昇降プレート４８の両端部にそれぞれ固定されている。この昇降プレート４８が、ソレノイドやエアシリンダー、ピニオン・ラック等の図示しない公知の昇降機構（移動機構）によって上下動させられることで、各ガイドロッド４６が同期してガイド筒部４１内を摺動し、懸吊部材４４を介して、支持部材３４及び各案内部材３８を同時に（一体的に）昇降移動（上下動）させるようになっている。
【００５７】
つまり、払拭部材３２及びベルト部材３６は、昇降プレート４８がガイド筒部４１の下端面に当接する上方位置から、懸吊部材４４がガイド筒部４１の上端面に当接する下方位置（図４参照）まで、昇降移動可能になっている。なお、筐体５２の底板５４には、その昇降プレート４８、払拭部材３２（支持部材３４）及びベルト部材３６（案内部材３８）の下方への移動を許容するための平面視矩形状とされた開口部５４Ａが形成されている。
【００５８】
＜ヘッドクリーニング装置の作用＞
以上のような構成のヘッドクリーニング装置３０において、次にその作用について説明する。
【００５９】
ヘッドクリーニング装置３０は、ヘッド６０をクリーニングしないときには、昇降プレート４８がガイド筒部４１の下端面に当接する上方位置にて待機している。ヘッド６０をクリーニングする際には、ユーザーがドライブ装置５０の図示しない操作パネルを操作する。すると、リール１０及びリール２０の回転が停止し、図示しない昇降機構が駆動して昇降プレート４８を下降させる。
【００６０】
昇降プレート４８が下降し始めると、各ガイドロッド４６が各ガイド筒部４１内を下方へ向かって摺動し始め、懸吊部材４４を介して、支持部材３４及び案内部材３８が下降し始める。すなわち、払拭部材３２及びベルト部材３６が上方位置から下方位置へ向かって（テープ幅方向に）移動し始める。
【００６１】
ここで、支持部材３４に摺動（回転移動）自在に巻き掛けられている払拭部材３２の払拭固定部３２Ａと、案内部材３８に摺動（回転移動）自在に巻き掛けられているベルト部材３６のベルト固定部３６Ａとは、それぞれベース部材４０の辺縁部４０Ａに固定されている（テープ幅方向に移動しないように固定されている）。
【００６２】
したがって、支持部材３４及び案内部材３８の下降動作に伴い、払拭部材３２及びベルト部材３６は、それぞれ図３における時計回り方向（矢印Ｆで示す）に支持部材３４及び案内部材３８に対して相対的に回転移動する。
【００６３】
すなわち、図５Ａで示すように、案内部材３８が下降すると、案内部材３８の下端部３８Ｂに巻き掛けられているベルト部材３６のベルト固定部３６Ａ側（裏面側）の一部（テーパー面３８Ｃで支持されている面部分）が、案内部材３８に対して矢印Ｆ方向に相対的に回転移動しながら記録テープＴの記録面に接触する。
【００６４】
ここで、案内部材３８の下端部３８Ｂは、裏面側から表面側にかけて鋭角に傾斜したテーパー面３８Ｃを有している。したがって、ベルト部材３６は、その下降動作に伴い（テーパー面３８Ｃに沿って）徐々に記録テープＴのエッジ部から記録面へ接触して行き、それに伴って（案内部材３８の厚みにより）、ヘッド６０の表面６０Ａから記録テープＴを離隔させることができる。
【００６５】
なお、このとき、記録テープＴの記録面に、回転移動しながら接触して行くベルト部材３６は、ベルト固定部３６Ａ側では、案内部材３８の下降と同じ速度で案内部材３８に対して上昇するため、上下動が生じない（相殺される）。つまり、このベルト部材３６は、記録テープＴの記録面との間でテープ幅方向に相対的に摺動することなく接触して行く。したがって、ベルト部材３６によってヘッド６０の表面６０Ａから離隔された記録テープＴにおいて、皺が寄ったりするような不具合は発生しない。
【００６６】
一方、図５Ｂで示すように、支持部材３４が下降すると、支持部材３４の下端部３４Ｂに巻き掛けられている払拭部材３２の払拭固定部３２Ａ側（裏面側）とは反対の表面側が、支持部材３４に対して矢印Ｆ方向に相対的に回転移動しながらヘッド６０の表面６０Ａに接触する。
【００６７】
ここで、ヘッド６０の表面６０Ａに、回転移動しながら接触して行く払拭部材３２は、ヘッド６０の表面６０Ａとの間でテープ幅方向に相対的に摺動しながら（擦りながら）接触して行く。つまり、この払拭部材３２は、支持部材３４に対して相対的に回転移動しつつ（矢印Ｆ方向に摺動しつつ）下降動作するので、払拭部材３２が支持部材３４に対して固定されて下降動作する構成に比べて、ヘッド６０の表面６０Ａに対する摺動距離が２倍となる。
【００６８】
したがって、ヘッド６０の表面６０Ａに付着している塵埃等の異物（汚れ）を効率よく拭き取ることができる。つまり、このヘッドクリーニング装置３０によれば、上方位置から下方位置へのテープ幅方向への１つの移動（下降）動作により、記録テープＴをヘッド６０の表面６０Ａから離隔させつつ、そのヘッド６０の表面６０Ａを良好にクリーニングすることができる。
【００６９】
また、このヘッドクリーニング装置３０は、支持部材３４に摺動（回転移動）自在に巻き掛けられた払拭部材３２と、案内部材３８に摺動（回転移動）自在に巻き掛けられたベルト部材３６とを備え、それらを同時に（一体的に）昇降移動させる構成にするだけでよいため、その昇降駆動系を含むヘッドクリーニング装置３０の構成を簡略化することができる（ヘッドクリーニング装置３０を簡易に構成することができる）。
【００７０】
したがって、ドライブ装置５０において、ヘッドクリーニング装置３０を設置する設置スペースの省スペース化も図ることができる。このように、本実施形態に係るヘッドクリーニング装置３０は、一対のリール１０、２０が取り外し不能に内蔵されたドライブ装置５０において、特に有効に適用することができる。
【００７１】
ヘッドクリーニング装置３０によるヘッド６０の表面６０Ａに対するクリーニング動作が終了したら、昇降プレート４８（支持部材３４）を昇降機構の駆動によって上昇させる。すると、ヘッド６０の表面６０Ａから、矢印Ｆ方向とは逆方向に回転移動しながら離れて行く払拭部材３２は、ヘッド６０の表面６０Ａとの間でテープ幅方向に相対的に摺動しながら（擦りながら）離れて行く。したがって、ヘッド６０の表面６０Ａにおいて、異物（汚れ）の拭き残りが発生するのを抑制又は防止することができる。
【００７２】
また、記録テープＴの記録面から、矢印Ｆ方向とは逆方向に回転移動しながら離れて行くベルト部材３６は、その記録テープＴの記録面との間でテープ幅方向に相対的に摺動することなく離れて行く。つまり、このベルト部材３６は、案内部材３８の上昇に伴って（テーパー面３８Ｃに沿って）徐々にヘッド６０の表面６０Ａへ記録テープＴを接近させて行くことができ、記録テープＴから完全に離れることで、その記録テープＴをヘッド６０の表面６０Ａに接触させることができる。
【００７３】
以上、本実施形態に係るヘッドクリーニング装置３０及びドライブ装置５０について、図面を基に説明したが、本実施形態に係るヘッドクリーニング装置３０及びドライブ装置５０は、図示のものに限定されるものではなく、本発明の要旨を逸脱しない範囲内において、適宜設計変更可能なものである。例えば、払拭部材３２及びベルト部材３６は、環状に構成されずに、図示しない繰出用リールから繰り出されるような構成とされてもよい。
【００７４】
また、本実施形態に係るヘッドクリーニング装置３０は、払拭部材３２（支持部材３４）及びベルト部材３６（案内部材３８）の少なくとも一方を備えていればよい。例えば、ベルト部材３６（案内部材３８）とは別の離隔機構によって記録テープＴをヘッド６０から離隔させつつ、払拭部材３２（支持部材３４）によってヘッド６０を払拭する構成にしてもよいし、ベルト部材３６（案内部材３８）によって記録テープＴをヘッド６０から離隔させつつ、別の清掃部材（図示省略）によってヘッド６０を清掃する構成にしてもよい。
【００７５】
また、日本国特許出願ＮＯ．２０１２−１０９９９７の開示は、その全体が参照により本明細書に取り込まれる。本明細書に記載された全ての文献、特許出願、及び技術規格は、個々の文献、特許出願、及び技術規格が参照により取り込まれることが、具体的かつ個々に記載された場合と同程度に、本明細書中に参照により取り込まれる。
【図１】
2013168621.tif 000003
【図２】
2013168621.tif 000004
【図３】
2013168621.tif 000005
【図４】
2013168621.tif 000006
【図５Ａ】
2013168621.tif 000007
【図５Ｂ】
2013168621.tif 000008
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
長尺状に形成され、テープ幅方向に移動しないように固定された払拭固定部を有する払拭部材と、
前記払拭部材が折り返されるように巻き掛けられた払拭巻掛部を備え、前記払拭巻掛部をテープ幅方向へ移動させ、前記払拭部材における前記払拭巻掛部に対する前記払拭固定部とは反対側の面で、記録テープに対して情報の書き込み及び読み出しの少なくとも一方を行うヘッドを払拭させる支持部材と、
を有するヘッドクリーニング装置。
【請求項２】
前記払拭部材は、環状に構成されており、
前記支持部材は、その移動方向の両端で前記払拭部材が折り返されるように該払拭部材の内側に設けられている請求項１に記載のヘッドクリーニング装置。
【請求項３】
長尺状に形成され、テープ幅方向に移動しないように固定されたベルト固定部を有するベルト部材と、
前記ベルト部材が折り返されるように巻き掛けられたベルト巻掛部を備え、前記ベルト巻掛部をテープ幅方向へ移動させ、前記ベルト部材における前記ベルト巻掛部に対する前記ベルト固定部側の面を前記記録テープに接触させつつ該記録テープを前記ヘッドから離隔させる案内部材と、
を有する請求項１又は請求項２に記載のヘッドクリーニング装置。
【請求項４】
前記ベルト部材は、環状に構成されており、
前記案内部材は、その移動方向の両端で前記ベルト部材が折り返されるように該ベルト部材の内側に設けられている請求項３に記載のヘッドクリーニング装置。
【請求項５】
前記支持部材の前記払拭巻掛部及び前記案内部材の前記ベルト巻掛部は、同時に移動するように構成されている請求項３又は請求項４に記載のヘッドクリーニング装置。
【請求項６】
前記ベルト部材及び前記案内部材は、前記払拭部材及び前記支持部材のテープ長手方向両側に設けられている請求項３〜請求項５の何れか１項に記載のヘッドクリーニング装置。
【請求項７】
前記ベルト部材及び前記案内部材は、前記払拭部材及び前記支持部材よりもテープ幅方向における払拭移動側へ突出している請求項６に記載のヘッドクリーニング装置。
【請求項８】
長尺状に形成され、テープ幅方向に移動しないように固定されたベルト固定部を有するベルト部材と、
前記ベルト部材が折り返されるように巻き掛けられたベルト巻掛部を備え、前記ベルト巻掛部をテープ幅方向へ移動させ、前記ベルト部材における前記ベルト巻掛部に対する前記ベルト固定部側の面を記録テープに接触させつつ該記録テープをヘッドから離隔させる案内部材と、
記録テープに対して情報の書き込み及び読み出しの少なくとも一方を行う前記ヘッドをテープ幅方向に移動することで清掃する清掃部材と、
を有するヘッドクリーニング装置。
【請求項９】
支持部材にテープ長手方向を軸方向として環状に巻き掛けられるとともに、ドライブ装置の装置本体に固定されたベース部材に一部が固定され、前記支持部材がテープ幅方向へ移動することにより、記録テープに対して情報の書き込み及び読み出しの少なくとも一方を行うヘッドを払拭する払拭部材と、
前記支持部材のテープ長手方向両側に前記支持部材よりもテープ幅方向における払拭移動側へ突出するように設けられた案内部材にテープ長手方向を軸方向として環状に巻き掛けられるとともに、前記ベース部材に一部が固定され、前記案内部材がテープ幅方向へ移動することにより、前記記録テープに接触しつつ該記録テープを前記ヘッドから離隔させるベルト部材と、
前記支持部材及び前記案内部材をテープ幅方向へ移動させる移動機構と、
を有するヘッドクリーニング装置。
【請求項１０】
走行する記録テープに接触しながら該記録テープに対して情報の書き込み及び読み出しの少なくとも一方を行うヘッドと、
前記記録テープを往復走行させるテープ駆動機構と、
請求項１〜請求項９の何れか１項に記載のヘッドクリーニング装置と、
を有するドライブ装置。
【請求項１１】
前記テープ駆動機構は、前記記録テープを繰り出し及び巻き取り可能に保持して装置本体に取り外し不能に内蔵された一対のリールを有する請求項１０に記載のドライブ装置。
【国際調査報告】
2013168621.tif 000009
2013168621.tif 000010
2013168621.tif 000011
2013168621.tif 000012